(57)【要約】【課題】本発明は、洗濯物などの干し物の乾燥時間の短縮化を図ることができる物干し補助具及び物干し部材を提供することを目的とする。【解決手段】物干し補助具１は、物干し部材を差し込み可能な物干し差込口３ａと、物干し差込口３ａの上方でハンガーのフックを引っ掛けてハンガーを吊下げるハンガー吊下げ部５とを有している。実使用時において、ハンガー吊下げ部５は、水平面α内でのフックの回転を抑制する。【選択図】図５
2016047121.tif 000002
【特許請求の範囲】
【請求項１】
物干し部材を差し込み可能な物干し差込口と、
前記物干し差込口の上方でハンガーのフックを引っ掛けて前記ハンガーを吊下げるハンガー吊下げ部と、を備え、
実使用時において、前記ハンガー吊下げ部は水平面内での前記フックの回転を抑制すること
を特徴とする物干し補助具。
【請求項２】
前記ハンガー吊下げ部は、
前記フックを保持するフック保持部を有し、
前記フック保持部で前記フックの回転を抑制すること
を特徴とする請求項１記載の物干し補助具。
【請求項３】
前記フック保持部は、
前記フックを引っ掛けて保持するフック保持空間部と、
前記フック保持空間部を挟んで配置された第１の壁面と第２の壁面と、
を有し、
前記第１の壁面と、前記第２の壁面とで前記フックの回転を抑制すること
を特徴とする請求項２記載の物干し補助具。
【請求項４】
前記第１の壁面と、前記第２の壁面とは、前記物干し差込口に向かうほど近づくこと
を特徴とする請求項３記載の物干し補助具。
【請求項５】
前記フック保持部は、前記第１の壁面と、前記第２の壁面とに挟まれた底部を有すること
を特徴とする請求項３又は４に記載の物干し補助具。
【請求項６】
前記ハンガー吊下げ部は、正面視において、前記第１の壁面と前記第２の壁面との間隔が最も狭い部分よりも幅の広いハンガー吊下げ口を有すること
を特徴とする請求項３から５の何れか１項に記載の物干し補助具。
【請求項７】
前記ハンガー吊下げ部を前記物干し部材に支持する支持部を有すること
を特徴とする請求項１から６の何れか１項に記載の物干し補助具。
【請求項８】
前記支持部は、前記物干し部材に対して前記ハンガー吊下げ部が移動するのを防止する移動防止部を有すること
を特徴とする請求項７記載の物干し補助具。
【請求項９】
前記移動防止部は、前記支持部の内壁から突出して設けられた凸部を有すること
を特徴とする請求項８記載の物干し補助具。
【請求項１０】
円柱形状の物干し部材の側部から前記物干し部材を差し込み可能な物干し差込口と、前記物干し部材の外表面に倣う曲面形状に形成された内壁と、前記内壁の内側領域であって前記物干し差込口で開放された空間部と、を備えた支持部と、
前記支持部の上方に設けられたハンガー吊下げ部と、
前記支持部の前記内壁の中央部に設けられた半球状の凸部と、
を有し、
前記ハンガー吊下げ部は、
正面視においてほぼＶ字型の凹形状を形成する傾斜した第１の壁面及び第２の壁面と、前記第１の壁面と前記第２の壁面との間隔が最も狭い部分で前記第１の壁面及び前記第２の壁面に挟まれて平面形状を有する底部と、前記底部の上方で前記第１の壁面及び前記第２の壁面に挟まれた空間であるフック保持空間部と、を備えたフック保持部と、
前記底部よりも幅の広いハンガー吊下げ口と、
を備えること
を特徴とする物干し補助具。
【請求項１１】
円柱形状の物干し部材の端部から前記物干し部材を差し込み可能な円形状の物干し差込口と、前記物干し差込口から差し込まれた前記物干し部材が通過する空間部と、前記物干し部材の外表面に倣う曲面形状に形成された内壁とを備え、円筒形状を有する支持部と、
前記支持部の上方に設けられたハンガー吊下げ部と、
前記支持部を貫通するＵ字状の孔部に三方を囲まれた前記支持部の一部である基板部と、前記基板部に形成され前記空間部に向かって突出する凸部と、を備えた移動防止部と、
を有し、
前記ハンガー吊下げ部は、
正面視においてほぼＶ字型の凹形状を形成する傾斜した第１の壁面及び第２の壁面と、前記第１の壁面と前記第２の壁面との間隔が最も狭い部分で前記第１の壁面及び前記第２の壁面に挟まれて平面形状を有する底部と、前記底部の上方で前記第１の壁面及び前記第２の壁面に挟まれた空間であるフック保持空間部と、を備えたフック保持部と、
前記底部よりも幅の広いハンガー吊下げ口と、
を備えること
を特徴とする物干し補助具。
【請求項１２】
請求項１から１０までのいずれか１項に記載の物干し補助具の前記ハンガー吊下げ部が移動するのを防止する物干し補助具移動防止部を有すること
を特徴とする物干し部材。
【請求項１３】
請求項１から１１までのいずれか１項に記載の物干し補助具を備えること
を特徴とする物干し部材。
【請求項１４】
ハンガーのフックを引っ掛けて前記ハンガーを吊下げるハンガー吊下げ部を備え、
実使用時において、前記ハンガー吊下げ部は水平面内での前記フックの回転を抑制すること
を特徴とする物干し部材。
【発明の詳細な説明】
【技術分野】
【０００１】
本発明は、洗濯物などの干し物を干すのに用いる物干し補助具及び物干し部材に関する。
【背景技術】
【０００２】
従来、洗濯物などの干し物の乾燥時間を短くするために、物干し竿などに取り付けて用いられる物干し補助具が知られている（特許文献１から３）。
【先行技術文献】
【特許文献】
【０００３】
【特許文献１】特開２００１−９６０９２号公報
【特許文献２】特許第４００２９０８号公報
【特許文献３】実用新案登録第３０６８３４４号公報
【発明の概要】
【発明が解決しようとする課題】
【０００４】
物干し竿等に複数の干し物を掛けた場合、風などによって干し物が揺れ動いて干し物同士が重なって干し物の下方で空気が流れにくくなってしまい、干し物の乾燥に長時間を要するという問題がある。
【０００５】
本発明の目的は、洗濯物などの干し物の乾燥時間の短縮化を図ることができる物干し補助具及び物干し部材を提供することにある。
【課題を解決するための手段】
【０００６】
本発明の一態様による物干し補助具は、物干し部材を差し込み可能な物干し差込口と、前記物干し差込口の上方でハンガーのフックを引っ掛けて前記ハンガーを吊下げるハンガー吊下げ部と、を備え、実使用時において、前記ハンガー吊下げ部は水平面内での前記フックの回転を抑制することを特徴とする。
【０００７】
本発明の他の態様による物干し補助具は、円柱形状の物干し部材の側部から前記物干し部材を差し込み可能な物干し差込口と、前記物干し部材の外表面に倣う曲面形状に形成された内壁と、前記内壁の内側領域であって前記物干し差込口で開放された空間部と、を備えた支持部と、前記支持部の上方に設けられたハンガー吊下げ部と、前記支持部の前記内壁の中央部に設けられた半球状の凸部と、を有し、前記ハンガー吊下げ部は、正面視においてほぼＶ字型の凹形状を形成する傾斜した第１の壁面及び第２の壁面と、前記第１の壁面と前記第２の壁面との間隔が最も狭い部分で前記第１の壁面及び前記第２の壁面に挟まれて平面形状を有する底部と、前記底部の上方で前記第１の壁面及び前記第２の壁面に挟まれた空間であるフック保持空間部と、を備えたフック保持部と、前記底部よりも幅の広いハンガー吊下げ口と、を備えることを特徴とする。
【０００８】
本発明のさらに他の態様による物干し補助具は、円柱形状の物干し部材の端部から前記物干し部材を差し込み可能な円形状の物干し差込口と、前記物干し差込口から差し込まれた前記物干し部材が通過する空間部と、前記物干し部材の外表面に倣う曲面形状に形成された内壁とを備え、円筒形状を有する支持部と、前記支持部の上方に設けられたハンガー吊下げ部と、前記支持部を貫通するＵ字状の孔部に三方を囲まれた前記支持部の一部である基板部と、前記基板部に形成され前記空間部に向かって突出する凸部と、を備えた移動防止部と、を有し、前記ハンガー吊下げ部は、正面視においてほぼＶ字型の凹形状を形成する傾斜した第１の壁面及び第２の壁面と、前記第１の壁面と前記第２の壁面との間隔が最も狭い部分で前記第１の壁面及び前記第２の壁面に挟まれて平面形状を有する底部と、前記底部の上方で前記第１の壁面及び前記第２の壁面に挟まれた空間であるフック保持空間部と、を備えたフック保持部と、前記底部よりも幅の広いハンガー吊下げ口と、を備えることを特徴とする。
【０００９】
本発明の一態様による物干し部材は、上記一態様又は上記他の態様による物干し補助具の前記ハンガー吊下げ部が移動するのを防止する物干し補助具移動防止部を有することを特徴とする。
【００１０】
本発明の他の態様による物干し部材は、上記一態様、上記他の態様又は上記さらに他の態様による物干し補助具を備えることを特徴とする。
【００１１】
本発明のさらに他の態様による物干し部材は、ハンガーのフックを引っ掛けて前記ハンガーを吊下げるハンガー吊下げ部を備え、実使用時において、前記ハンガー吊下げ部は水平面内での前記フックの回転を抑制することを特徴とする。
【発明の効果】
【００１２】
本発明によれば、風などによる干し物の揺れ動きを抑制して、洗濯物などの干し物の乾燥時間の短縮化を図ることができる。
【図面の簡単な説明】
【００１３】
【図１】本発明の第１実施形態による物干し補助具１の使用態様を示す図である。
【図２】本発明の第１実施形態による物干し補助具１の使用態様を説明する図（その１）である。
【図３】本発明の第１実施形態による物干し補助具１の外観斜視図である。
【図４】本発明の第１実施形態による物干し補助具１の正投影図である。
【図５】本発明の第１実施形態による物干し補助具１の取り付け態様を説明する図である。
【図６】本発明の第１実施形態による物干し補助具１が装着された物干し部材の断面図である。
【図７】本発明の第１実施形態による物干し補助具１のハンガーのフックの回転を抑制する機構について説明する図である。
【図８】本発明の第１実施形態による物干し補助具１の使用態様を説明する図（その２）である。
【図９】本発明の第１実施形態による物干し補助具１の使用態様を説明する図であって、図８に示す腕部の一部を拡大した図である。
【図１０】本発明の第２実施形態による物干し補助具１０１の使用態様を説明する図である
【図１１】本発明の第２実施形態による物干し補助具１０１の外観斜視図である。
【図１２】本発明の第２実施形態による物干し補助具１０１の正投影図である。
【図１３】本発明の第２実施形態による物干し補助具１０１が装着された物干し部材の断面図である。
【図１４】本発明の第３実施形態による物干し部材の使用態様を説明する図である。
【図１５】本発明の第３実施形態の変形例による物干し部材の使用態様を説明する図である。
【発明を実施するための形態】
【００１４】
（第１実施形態）
本発明の第１実施形態による物干し補助具及び物干し部材について図１から図９を用いて説明する。図１は、本実施形態による物干し補助具１の使用態様を示す図である。物干し補助具１は、所定の物干し具に装着されて使用される。図１は、物干し補助具１が物干し具の一例である室内用物干し具１０に装着された場合の使用態様を例示している。
【００１５】
まず、物干し補助具１が装着される室内用物干し具１０の概要を説明する。
図１に示すように、室内用物干し具１０は、円柱形状の中央支持部１３と、中央支持部１３を回転軸として互いに反対向きに回転可能に中央支持部１３に連結された一対の第１物干し部１４，１５と、中央支持部１３を回転軸として互いに反対向きに回転可能に中央支持部１３に連結された一対の脚部１１，１２と、中央支持部１３に対する一対の脚部１１，１２の回転範囲を制限する開き止め部４３と、一対の物干し部１４，１５を所定の角度で支持する一対の第１物干し支持部４１，４２とを有している。一対の第１物干し部１４，１５は、中央支持部１３を対称軸として線対称に設置されている。一対の第１物干し部１４，１５は、中央支持部１３に連結される連結構造が異なる点を除いて、互いに同一の構成を有している。したがって、一対の第１物干し部１４，１５の構成について、第１物干し部１４を例にとって説明する。
【００１６】
第１物干し部１４は、対向して配置された、円柱形状の２本の腕部１４ａを有している。詳細は後述するが、２本の腕部１４ａは、物干し補助具１が取り付けられるように形成されている。２本の腕部１４ａの一端は、中央支持部１３の両端部に取り付けられた連結部品４４よりも内側に、回動可能に連結されている。２本の腕部１４ａの他端の間には、２本の腕部１４ａを所定の間隔に維持する円柱形状の端部固定部品１４ｃが張り渡されている。２本の腕部１４ａは、端部固定部品１４ｃにより所定の間隔を保持して互いに固定されているため、一体となって回動できる。また、２本の腕部１４ａの間には、所定の間隔で複数（本例では７本）の物干し棒１４ｂが互いに平行に張り渡されている。複数の物干し棒１４ｂは、中央支持部１３と端部固定部品１４ｃとの間に配置されている。複数の物干し棒１４ｂは、中央支持部１３及び端部固定部品１４ｃと平行に配置されている。
【００１７】
第１物干し部１４と同一の構成を有する第１物干し部１５に備えられた２本の腕部１５ａは、第１物干し部１４に備えられた２本の腕部１４ａに対応する。２本の腕部１５ａの間に張り渡された複数（本例では７本）の物干し棒１５ｂは、複数の物干し棒１４ｂに対応する。端部固定部品１５ｃは、端部固定部品１４ｃに対応する。
【００１８】
一対の脚部１１，１２は、中央支持部１３を対称軸として線対称に設置されている。一対の脚部１１，１２は、中央支持部１３に連結される連結構造が異なる点を除いて、互いに同一の構成を有している。したがって、一対の脚部１１，１２の構成について、脚部１１を例にとって説明する。
脚部１１は、２本の円柱形状の主脚部１１ａを有している。２本の主脚部１１ａの一端は、連結部品４４を介して、中央支持部１３の両端に回動可能に連結されている。２本の主脚部１１ａの他端の間には、２本の主脚部１１ａを所定の間隔に維持する円柱形状の端部固定部品１１ｅが張り渡されている。２本の主脚部１１ａは、端部固定部品１１ｅにより所定の間隔を保持して互いに固定されているため、一体となって回動できる。
【００１９】
２本の主脚部１１ａの中央支持部１３寄りには、２本の主脚部１１ａ間に第１支持部品１１ｂが張り渡されている。第１支持部品１１ｂには、第１物干し支持部４１が連結されている。第１物干し支持部４１は、対向配置された２本の円柱形状の支柱４１ａを有している。２本の支柱４１ａの一端は、第１支持部品１１ｂの両端に回動可能に連結されている。２本の支柱４１ａの他端の間には、２本の支柱４１ａを所定の間隔に維持する円柱形状の端部固定部品４１ｂが張り渡されている。２本の支柱４１ａは、端部固定部品４１ｂにより所定の間隔を保持して互いに固定されているため、一体となって回動できる。また、２本の支柱４１ａ及び端部固定部品４１ｂは、中央支持部１３、腕部１４ａ及び主脚部１１ａよりも直径が短くなっている。さらに、２本の支柱４１ａの他端には、腕部１４ａを挟持可能な挟持部４１ｃがそれぞれ設けられている。第１物干し部１４の使用時において、支柱４１ａに設けられた挟持部４１ｃが腕部１４ａの所定の位置を挟持することで、支柱４１ａは、第１物干し部１４を水平状態や中央支持部１３に対して上方へ向かって傾斜した状態で維持することができる。これにより、第１物干し部１４の物干し棒１４ｂに干し物を干すことが可能となる。なお、第１物干し部１４の２本の腕部１４ａの間に張り渡された端部固定部品１４ｃにも干し物を干すことが可能である。
【００２０】
２本の主脚部１１ａのほぼ中央部には、２本の主脚部１１ａの間に第２支持部品１１ｃが張り渡されている。第２支持部品１１ｃは円柱形状を有している。室内用物干し具１０は、第２支持部品１１ｃに回動可能に連結された第２物干し部１６を有している。第２物干し部１６は、第２支持部品１１ｃを回転軸として回転可能に第２支持部品１１ｃに連結されている。第２物干し部１６は、対向して配置された２本の円柱形状の腕部１６ａを有している。２本の腕部１６ａの一端は、第２支持部品１１ｃの両端に回動可能に連結されている。２本の腕部１６ａの他端の間には、２本の腕部１６ａを所定の間隔に維持する円柱形状の端部固定部品１６ｃが張り渡されている。２本の腕部１６ａは、端部固定部品１６ｃにより所定の間隔を保持して互いに固定されているため、一体となって回動できる。また、２本の腕部１６ａの間には、所定の間隔で複数（本例では４本）の物干し棒１６ｂが互いに平行に張り渡されている。複数の物干し棒１６ｂは、第２支持部品１１ｃと端部固定部品１６ｃとの間に配置されている。複数の物干し棒１６ｂは、第２支持部品１１ｃ及び端部固定部品１６ｃと平行に配置されている。
【００２１】
２本の主脚部１１ａの端部固定部品１１ｅ寄りには、２本の主脚部１１ａの間に第３支持部品１１ｄが張り渡されている。第３支持部品１１ｄには、第２物干し支持部１８が連結されている。第２物干し支持部１８は、対向配置された２本の円柱形状の支柱１８ａを有している。２本の支柱１８ａの一端は、第３支持部品１１ｄの両端に回動可能に連結されている。２本の支柱１８ａの他端の間には、２本の支柱１８ａを所定の間隔に維持する円柱形状の端部固定部品１８ｂが張り渡されている。２本の支柱１８ａは、端部固定部品１８ｂにより所定の間隔を保持して互いに固定されているため、一体となって回動できる。また、２本の支柱１８ａ及び端部固定部品１８ｂは、中央支持部１３、腕部１４ａ、腕部１６ａ及び主脚部１１ａよりも直径が短くなっている。さらに、２本の支柱１８ａの他端には、腕部１６ａを挟持可能な挟持部１８ｃがそれぞれ設けられている。第２物干し部１６の使用時において、支柱１８ａに設けられた挟持部１８ｃが腕部１６ａの所定の位置を挟持することで、支柱１８ａは、第２物干し部１６を水平状態や第２支持部品１１ｃに対して上方へ向かって傾斜した状態で維持することができる。これにより、第２物干し部１６の物干し棒１６ｂに干し物を干すことが可能となる。なお、第２物干し部１６の腕部１６ａの間に張り渡された端部固定部品１６ｃにも干し物を干すことが可能である。
【００２２】
一対の脚部１１，１２は、中央支持部１３に連結される連結構造が異なる点を除いて、互いに同一の構成を有している。したがって、脚部１２に備えられた２本の主脚部１２ａは、脚部１１に備えられた２本の主脚部１１ａに対応する。第１支持部品１２ｂは、第１支持部品１１ｂに対応する。第２支持部品１２ｃは、第２支持部品１１ｃに対応する。第３支持部品１２ｄは、第３支持部品１１ｄに対応する。端部固定部品１２ｅは、端部固定部品１１ｅに対応する。
第１支持部品１２ｂには、第１物干し支持部４２が連結されている。第１物干し支持部４２は、第１支持部品１１ｂに連結された第１物干し支持部４１と同一の構成を有している。第１物干し支持部４２が備える２本の支柱４２ａは、第１物干し支持部４１が備える２本の支柱４１ａと対応する。端部固定部品４２ｂは、端部固定部品４１ｂと対応する。２本の支柱４２ａのそれぞれに設けられた挟持部４２ｃは、２本の支柱４１ａにそれぞれ設けられた挟持部４１ｃと対応する。支柱４２ａに設けられた挟持部４２ｃが腕部１５ａの所定の位置を挟持することで、支柱４２ａは、第１物干し部１５を水平状態や中央支持部１３に対して上方へ向かって傾斜した状態（図１参照）で維持することができる。
【００２３】
また、第２支持部品１２ｃには、第２物干し部１７が連結されている。第２物干し部１７は、第２支持部品１１ｃに連結された第２物干し部１６と同一の構成を有している。第２物干し部１６，１７は、それぞれ第２支持部品１１ｃ，１２ｃを回転軸として互いに反対向きに回転するようになっている。第２物干し部１７に備えらえた２本の腕部１７ａは、第２物干し部１６に備えらえた２本の腕部１６ａに対応する。２本の腕部１７ａの間に張り渡された複数（本例では４本）の物干し棒１７ｂは、複数の物干し棒１６ｂに対応する。端部固定部品１７ｃは、端部固定部品１６ｃに対応する。
さらに、第３支持部品１２ｄには、第２物干し支持部１９が連結されている。第２物干し支持部１９は、第３支持部品１１ｄに連結された第２物干し支持部１８と同一の構成を有している。第２物干し支持部１９が備える２本の円柱形状の支柱１９ａは、第２物干し支持部１８が備える２本の支柱１８ａと対応する。端部固定部品１９ｂは、端部固定部品１８ｂと対応する。２本の支柱１９ａのそれぞれに設けられた挟持部１９ｃは、２本の支柱１８ａにそれぞれ設けられた挟持部１８ｃと対応する。支柱１９ａに設けられた挟持部１９ｃが腕部１７ａの所定の位置を挟持することで、支柱１９ａは、第２物干し部１７を水平状態（図１参照）や第２支持部品１２ｃに対して上方へ向かって傾斜した状態で維持することができる。
【００２４】
一対の脚部１１，１２との間には、２つの開き止め部４３が設けられている。２つの開き止め部４３の一方は、第２支持部品１１ｃの一端部と第２支持部品１２ｃの一端部との間に連結され、他方は、第２支持部品１１ｃの他端部と第２支持部品１２ｃの他端部との間に連結されている。２つの開き止め部４３は、一対の第２物干し部１６，１７の腕部１６ａ，１７ａの外側で第２支持部品１１ｃ，１２ｃに連結されている。開き止め部４３は、一対の脚部１１，１２の回動を制限するために設けられている。２つの開き止め部４３の一端は、第２支持部品１１ｃに貫通されて主脚部１１ａに回動可能に連結されている。また、２つの開き止め部４３の他端は、第２支持部品１２ｃに貫通されて主脚部１２ａに回動可能に連結されている。２つの開き止め部４３はそれぞれ、中央にヒンジ部４３ａを有している。２つの開き止め部４３は、ヒンジ部４３ａによって折れ曲がることができる。これにより、２つの開き止め部４３は、脚部１１の主脚部１１ａと脚部１２の主脚部１２ａとの間で折り曲げ及び回動可能になる。２つの開き止め部４３がヒンジ部４３ａを中心として山折りの状態に折り曲げられると、主脚部１１ａ，１２ａが互いに接触した状態となる。これにより、一対の脚部１１，１２は、閉脚した状態となる。一方、２つの開き止め部４３がヒンジ部４３ａで折り曲げられずにほぼ直線状態になると、一対の脚部１１，１２の回動が制限される。これにより、主脚部１１ａ、主脚部１２ａ及び２つの開き止め部４３は、中央支持部１３が伸びる方向に見てＡ字形状となり、一対の脚部１１，１２は、室内用物干し具１０を使用可能な開脚状態を維持する。さらに、２つの開き止め部４３の間には、複数（本例では４本）の物干し棒４３ｂがヒンジ部４３ａを避けて所定の間隔で平行に張り渡されている。複数の物干し棒４３ｂは、第２支持部品１１ｃ，１２ｃと平行に配置されている。
【００２５】
室内用物干し具１０の利用者は、室内用物干し具１０を使用しないときには、ヒンジ部４３ａを中心として２つの開き止め部４３を山折りの状態とし、一対の脚部１１，１２がほぼ接触する状態まで閉脚する。また、利用者は一対の第１物干し部１４，１５及び一対の第２物干し部１６，１７を閉脚された一対の脚部１１，１２にほぼ接触する状態に折り畳む。これにより、中央支持部１３が伸びる方向に見て一対の脚部１１，１２や一対の第１物干し部１４，１５などの間隔が短くなるので、利用者は、室内用物干し具１０を狭い空間に片づけることができる。一方、室内用物干し具１０の利用者は、室内用物干し具１０を使用するときには、一対の脚部１１，１２を閉脚した状態から開脚した状態に移行する。２つの開き止め部４３は、一対の脚部１１，１２の開脚状態への移行に連動して両端及びヒンジ部４３ａが回動し、直線形状になる。一対の開き止め部４３によって一対の脚部１１，１２の回動が制限された状態で、利用者は一対の脚部１１，１２の他端を床面に載置して室内用物干し具１０を床面に立たせる。利用者は、必要に応じて一対の第１物干し部１４，１５及び一対の第２物干し部１６，１７を第１物干し支持部４１，４２及び第２物干し支持部１８，１９を用いて所定の角度に設置して室内用物干し具１０を使用可能な状態とする。
【００２６】
図１には、室内用物干し具１０に備えられた一対の第１物干し部１４，１５の各腕部１４ａ，１５ａに装着された複数の物干し補助具１が図示されている。本例では、１本の腕部１４ａ，１５ａに対し、それぞれ４つの物干し補助具１が装着されている。複数の物干し補助具１は、干し物同士が重ならないように所定の間隔を空けて、腕部１４ａ，１５ａに装着されている。物干し補助具１が装着されるときの腕部１４ａ，１５ａは、水平状態でもよいし、干し物を物干し補助具１に吊下げることが可能な範囲内で傾斜している状態でもよい。図１には、ほぼ水平状態の腕部１４ａに装着された物干し補助具１に吊下げられたハンガー２０と、中央支持部１３から上方に向かって傾斜した状態の腕部１５ａに装着された物干し補助具１に吊下げられたハンガー２１とが図示されている。なお、本実施形態による物干し補助具の吊下げ対象のハンガーは、干し物を掛ける本体部に対してフックが回転しない態様のハンガーである。
【００２７】
理解を容易にするため図１では、本来第１物干し部１４を支持しているはずの第１物干し支持部４１は、第１物干し部１４を支持していない状態で図示されている。また、図１では、干し物をかけないときの状態の第２物干し部１６が図示されている。
また、図１では物干し補助具１を装着する物干し部材として、室内用物干し具１０の第１物干し部１４，１５の腕部１４ａ，１５ａを例示しているが、これに限られない。物干し部材は、例えば室内用物干し具１０における第２物干し部１６，１７の腕部１６ａ，１７ａでもよいし、屋外用物干し台等に支持されて屋外で使用される物干し竿等でもよい。
【００２８】
図２は、本実施形態による物干し補助具１の使用態様を説明する図である。図２は、図１に示す室内用物干し具１０の腕部１４ａの要部を、装着した物干し補助具１の正面側から見た状態を示している。物干し補助具１が装着された腕部１４ａはほぼ水平方向に維持されており、物干し補助具１のハンガー吊下げ部５に吊下げられたハンガー２０は鉛直方向に吊下げられた状態に維持されている。これにより、物干し補助具１は、物干し部材の下方にハンガーに掛けられた干し物を吊下げることができる。
物干し補助具１は、干し物同士が重ならないように所定の間隔を空けて、腕部１４ａに複数装着されている。また、物干し補助具１は、ハンガー吊下げ部５によりハンガー２０のフック２０ａを保持すると共に、使用時における水平面α内でのフック２０ａの回転を抑制する。ハンガーのフックの回転を抑制する機構については、後述する。物干し補助具１のハンガー吊下げ部５がハンガーのフックを保持することで、ハンガーの物干し部材上の移動が抑止される。また、ハンガー吊下げ部５がハンガーのフックの回転を抑制することで、風などによる干し物の揺れ動きが抑制される。これにより、風に吹かれた際などに干し物同士が重なってしまうことを防止できる。
【００２９】
次に、物干し補助具１の概略構成について図２を参照しながら、図３から図６を用いて説明する。図３は、本実施形態による物干し補助具１の概略構成を示す図であり、物干し補助具１を正面上方から見た外観斜視図である。図４は、物干し補助具１の正投影図である。図４中の上段には平面図が示され、中段には、左側面図、正面図、右側面図及び背面図が左からこの順に示され、下段には、底面図が示されている。また図５は、本実施形態による物干し補助具１の取り付け態様を説明する図である。図５中の左側には、物干し部材の一例である室内用物干し具１０の腕部１４ａに取り付ける前の状態の物干し補助具１が図示され、図５中の右側には、腕部１４ａに取り付けた状態の物干し補助具１が図示されている。図６は、図５に示す直線Ａ−Ａで、室内用物干し具１０の腕部１４ａを切断した断面図である。
図３及び図４に示すように、物干し補助具１は、腕部１４ａを一例とする物干し部材の側部から物干し部材を差し込み可能な物干し差込口３ａと、物干し差込口３ａを備えた支持部３と、物干し差込口３ａの上方でハンガーのフック（不図示）を引っ掛けてハンガーを吊下げるハンガー吊下げ部５とを有している。
【００３０】
支持部３は、側壁の一部を取り除いた円筒形状を有し、側壁を取り除いた領域に物干し差込口３ａが形成されている。図４中の左側面図及び右側面図に示すように、支持部３は、左側面及び右側面から見て、円弧形状を有している。支持部３の内壁３ｂの表面は、物干し部材の外表面に倣う形状に形成されている。本実施形態による物干し補助具１は、図１に示すような室内用物干し具１０の腕部１４ａや物干し竿等の物干し部材が装着対象である。このため、内壁３ｂの表面は、円柱形状の物干し部材の外表面に倣う曲面形状（本例では円筒の内表面形状）に形成されている。
【００３１】
また支持部３は、内壁３ｂの内側領域であって物干し差込口３ａで開放された空間部３ｃを有している。支持部３は、物干し差込口３ａから差し込まれた物干し部材の側部を、空間部３ｃ内において内壁３ｂで覆うように把持する。支持部３は、物干し部材の側部を空間部３ｃ内で把持することによって、ハンガー吊下げ部５を物干し部材に支持するようになっている。物干し差込口３ａの幅は、物干し補助具１の装着対象の腕部１４ａの直径よりも若干短く形成されている。支持部３は、物干し部材を空間部３ｃ内において把持すると、物干し部材によって外側に押し広げられる。物干し補助具１は、例えば樹脂で形成されているので、弾性変形により元の状態に戻ろうとする。このため、支持部３の内壁３ｂの表面と物干し部材の外表面との密着度が向上する。これにより、物干し補助具１は、吊下げている干し物が風などによって揺り動かされても物干し部材上で移動しにくくなる。したがって、複数の物干し補助具１は、吊下げている干し物が揺り動かされたとしても、物干し部材に装着された当初の間隔を維持しやすくなる。
【００３２】
図５中の右側に示すように、物干し補助具１は、例えば支持部３を差込口３ａから腕部１４ａの側部に嵌め込んで腕部１４ａに取り付けて使用される。物干し補助具１は、ハンガー吊下げ部５に設けられたハンガー吊下げ口５ａからハンガーのフック（不図示）を引っ掛けるようになっている。腕部１４ａに取り付けた物干し補助具１は、腕部１４ａから取り外すことが可能である。このため、物干し補助具１は、ハンガーを用いる衣類などの干し物を物干し部材に干す場合には物干し部材に取り付けられ、ハンガーを用いない布団や大型のタオルなどの干し物を物干し部材に干す場合には物干し部材から取り外されるといった使い分けが可能になっている。
【００３３】
図４に戻って、支持部３は、物干し部材に対してハンガー吊下げ部５が移動するのを防止する移動防止部７を有している。図４中の左右側面図及び底面図に示すように、移動防止部７は、支持部３の内壁３ｂの中央部に、内壁３ｂから空間部３ｃに向かって突出して設けられた半球状の凸部である。
一方、図５に示すように、腕部１４ａには円状の上面を有する孔部１４ｄが設けられている。移動防止部７の直径は、孔部１４ｄの直径よりも短くなっている。これにより、移動防止部７は孔部１４ｄと嵌合する。図６に示すように、物干し補助具１が室内用物干し具１０の腕部１４ａに装着されると、移動防止部７は孔部１４ｄと嵌合し、腕部１４ａの内部空間に向かって突出する。これにより、物干し補助具１は、使用時において物干し部材に吊下げている干し物が風などによって揺り動かされても、物干し部材上で移動するのが防止される。すなわち、支持部３の内壁３ｂに設けられた凸部である移動防止部７と、支持部３の内壁３ｂに接する物干し部材の側面に設けられた孔部１４ｄとが嵌合することで、物干し補助具１のハンガー吊下げ部５が腕部１４ａに対して移動するのが防止される。したがって、複数の物干し補助具１は、吊下げている干し物が揺り動かされたとしても、物干し部材に装着された当初の間隔を維持できる。移動防止部７が孔部１４ｄに嵌合した状態においては、物干し補助具１が水平状態を維持する物干し部材に取り付けられているとき、ハンガー吊下げ部５は支持部３の鉛直上方に位置するようになっている。
【００３４】
図５に示す腕部１４ａに設けられた孔部１４ｄは、物干し補助具１の使用時において、物干し補助具１の移動を防止するために物干し部材に設けられる物干し補助具移動防止部の一例に相当する。また、物干し補助具移動防止部は、孔部１４ｄの形状に限られない。例えば、物干し補助具移動防止部は、腕部１４ａの内部空間側に突出して移動防止部７が嵌合可能な凹部であってもよい。また、図１に示すように物干し補助具１は室内用物干し具１０の腕部１５ａにも取り付け可能である。すなわち、腕部１５ａにも腕部１４ａと同じ孔部（不図示）が設けられ、物干し補助具１が取り付け可能に形成されている。
物干し補助具１に設けられる移動防止部は、凸部ではなく凹部であり、物干し部材に当該凹部と嵌合する凸部が、物干し補助具移動防止部として設けられていてもよい。また、物干し補助具１の移動防止部及び物干し部材の物干し補助具移動防止部がそれぞれ面ファスナーを有していてもよい。この場合、物干し補助具１を物干し部材に装着する際に面ファスナー同士を接着させることにより、物干し補助具１の移動を防止できる。また、物干し補助具１の支持部３の内壁３ｂ及び物干し部材の物干し補助具１と接する面の両方が静止摩擦力の大きい素材で覆われていたり、静止摩擦力が大きくなるように形成されていることにより、物干し補助具１の移動を防止するようになっていてもよい。この場合、支持部３の内壁３ｂが移動防止部に相当し、物干し部材の物干し補助具１と接する面が物干し補助具移動防止部に相当する。このように、物干し部材に設けられる物干し補助具移動防止部は、物干し補助具１に設けられた移動防止部と共に用いられることで物干し補助具１の移動を防止する。
【００３５】
また、物干し補助具１が有する移動防止部及び物干し部材が有する物干し補助具移動防止部は、どちらか一方のみで物干し補助具１の移動を防止するようになっていてもよい。例えば、物干し補助具１の支持部３の内壁３ｂ及び物干し部材の物干し補助具１と接する面のどちらか一方が静止摩擦力の大きい素材で覆われていたり、静止摩擦力が大きくなるように形成されていることにより、物干し補助具１の移動を防止するようになっていてもよい。静止摩擦力は、干し物が風などで揺り動かされることによって、物干し補助具１に対して生じる力に抗する力であればよい。
【００３６】
図３及び４に戻って、ハンガー吊下げ部５は、ハンガー吊下げ口５ａと、フック保持部５ｂとを有している。ハンガー吊下げ部５は、ハンガーのフックを保持すると共に、物干し補助具１の実使用時における水平面α内（図２参照）でのハンガーのフックの回転を抑制するようになっている。図２に示すように、ほぼ水平状態の物干し部材に物干し補助具１が装着されている場合には、実使用時における水平面αは、ハンガー吊下げ口５ａと平行な面となる。フック保持部５ｂは、ハンガーのフックを保持し、当該フックの回転を抑制する。
図３及び図４に示すように、フック保持部５ｂは、第１壁面５１、第２壁面５３、底部５５及びフック保持空間部５７を有している。フック保持部５ｂは、フック保持空間部５７内でフックを引っ掛けて保持し、第１壁面５１及び第２壁面５３で当該フックの回転を抑制するようになっている。第１壁面５１及び第２壁面５３は、ハンガー吊下げ口５ａ及びその下方に存在するフック保持空間部５７を挟んで配置されている。また、第１壁面５１及び第２壁面５３は、傾斜しており、物干し差込口３ａに向かうほど近づくようになっている。図４の正面図で示すように、ハンガー吊下げ口５ａは、正面視において第１壁面５１と第２壁面５３との間隔が最も広い部分と同じ長さの幅を有している。ハンガー吊下げ口５ａの幅は、第１壁面５１と第２壁面５３との間隔が最も狭い部分よりも広くなっている。また、ハンガー吊下げ口５ａの幅は、物干し補助具１で吊下げ可能なハンガーのフックの直径よりも十分に広くなっている。
【００３７】
フック保持部５ｂの底部５５は、第１壁面５１と第２壁面５３とが最も近づく箇所で、第１壁面５１と第２壁面５３とに挟まれて平面形状を有している。図４の正面図において、底部５５の幅はハンガー吊下げ口５ａの幅よりも狭くなっている。言い換えれば、ハンガー吊下げ口５ａの幅は、底部５５の幅よりも広くなっている。また、図４の正面図に示すように、第１壁面５１と第２壁面５３とは、正面視において底部５５を挟んでほぼＶ字型の凹形状となっており、第１壁面５１と第２壁面５３との間隔が最も狭い部分に底部５５が形成されている。フック保持空間部５７は、底部５５の上方で、第１壁面５１及び第２壁面５３に挟まれた空間である。フック保持空間部５７は、第１壁面５１、第２壁面５３、底部５５及びハンガー吊下げ口５ａに囲まれている。フック保持空間部５７は、正面視において、ハンガー吊下げ口５ａによって形成される上底が底部５５によって形成される下底よりも長い逆台形状を有している。この逆台形は、脚を形成する第１壁面５１と第２壁面５３とが同じ長さであるため左右対称となっている。
【００３８】
ハンガー吊下げ部５は、図４の平面図で示すように、ハンガー吊下げ口５ａを挟んで平行に設けられた頂部５ｃ，５ｄを有している。頂部５ｃ，５ｄは、平面であり、正面側と背面側の両端が面取りをされている。頂部５ｃは、フック保持部５ｂの第１壁面５１の上辺とハンガー吊下げ部５の外壁とに挟まれた平面である。頂部５ｄは、フック保持部５ｂの第２壁面５３の上辺とハンガー吊下げ部５の外壁とに挟まれた平面である。第１壁面５１の上辺は頂部５ｃと第１壁面５１との境界であり、第２壁面５３の上辺は頂部５ｄと第２壁面５３との境界である。第１壁面５１と第２壁面５３との間隔は、第１壁面５１の上辺と第２壁面５３の上辺との間で最も広くなっており、この第１壁面５１と第２壁面５３との間隔が最も広い部分にハンガー吊下げ口５ａが形成されている。
ハンガー吊下げ部５は、頂部５ｃ，５ｄの両端が面取りをされているため、面取りをされていない場合と比較して、欠けなどの破損が生じにくくなっている。
【００３９】
フック保持部５ｂの第１壁面５１及び第２壁面５３は傾斜しており、物干し差込口３ａに向かうほど近づくようになっている。また、正面視において、フック保持空間部５７は逆台形状を有している。そのため、フック保持部５ｂは、フック保持空間部５７において第１壁面５１及び第２壁面５３で直径の異なる複数種類のフックを保持することができる。したがって、物干し補助具１は、フックの直径が異なる複数種類のハンガーを物干し部材に対して吊下げることができる。ハンガー吊下げ部５に引っ掛けられたハンガーは、自重及びこのハンガーに掛けられた干し物の重量によって鉛直下方に向かう力と、第１壁面５１及び第２壁面５３からフックが鉛直上方に向かって受ける力との均衡の取れた最適な位置でフック保持部５ｂに保持される。ハンガーの自重などにより、フック保持部５ｂの第１壁面５１及び第２壁面５３がハンガーと接触する位置は、フックの直径が短くなるほどフック保持部５ｂの底部５５の方向へずれる。物干し補助具１は、ハンガーのフックの直径に応じて第１壁面５１及び第２壁面５３の傾斜した領域で力の均衡の取れた最適な位置を形成できる。これにより、物干し補助具１は、正面視におけるハンガー吊下げ口５ａの幅より若干短い直径のフックを有するハンガーから、正面視におけるフック保持部５ｂの底部５５の幅より若干短い直径のフックを有するハンガーまで、使用時における水平面内α（図２参照）内でのフックの回転を抑制できる。
フック保持部５ｂは、図３及び図４では底部５５が平面形状を有しているが、底部５５が平面形状を有していない場合、すなわち第１壁面５１及び第２壁面５３が物干し差込口３ａに最も近づく箇所で完全に接触するようになっている場合であっても、ハンガーのフックを保持し、使用時における水平面α内でのフックの回転を抑制することができる。
【００４０】
フック保持部５ｂは、ハンガー吊下げ部５に引っ掛けられたハンガーのフックがフック保持部５ｂの底部５５の幅とほぼ等しい直径を有し且つフックの底部が円弧状となっている場合に、フックの底面を第１壁面５１及び第２壁面５３に加えて底部５５でも支持できる。これにより、物干し補助具１は、底部５５が平面形状を有していない場合と比較してハンガーのフックをより安定的に挟持することができる。
【００４１】
次に、ハンガーのフックの回転を抑制する機構について図２から図４を参照しつつ、図７を用いて説明する。図７は、物干し補助具１のハンガー吊下げ部５に引っ掛けられたハンガーのフックとハンガー吊下げ部５を、物干し補助具１の使用時における水平面α（図２参照）を鉛直方向に見た模式図である。図７（ａ）は、ハンガー吊下げ口５ａ（図３及び図４参照）の幅より若干短い幅のフック２３がフック保持部５ｂのフック保持空間部５７で保持された状態を示している。図７（ｂ）は、フック保持部５ｂの底部５５の幅より若干長い幅のフック２５がフック保持空間部５７で保持された状態を示している。図７（ａ）及び図７（ｂ）において水平面α内で回転していないフック２３及びフック２５は破線で図示され、水平面α内で回転しているフック２３及びフック２５は実線で図示されている。
【００４２】
図７（ａ）に破線で示すように、フック２３は、フック保持空間部５７内の頂部５ｃ，５ｄ寄りで頂部５ｃ，５ｄに沿って保持されている。このときに、例えば風などでハンガーが右回りに揺れ動いたとする。このとき、フック２３の底面は、第１壁面５１及び第２壁面５３に触れている。水平面α内でハンガーが右回りに回転すると、フック２３も水平面α内で右回りに回転する。フック２３が水平面α内で角度「θ」だけ回転すると、フック２３の左側面の一部は、第１壁面５１の角部Ｃ１１と接触し、フック２３の右側面の一部は、第２壁面５３の角部Ｃ３２と接触する。ここで、角度「θ」は、フック２３の中心Ｏを通りフック２３の長手方向に平行な直線が、水平面α内で中心Ｏを回転軸として回転した角度である。なお、フック２３の長手方向に平行な直線が第１及び第２壁面５１，５３に平行な状態を、角度「θ」＝「０」とする。また、中心Ｏに対して右回りを正方向とし、左回りを負方向とする。図７（ａ）では理解を容易にするため、角度「θ」は、フック２３の左側面をこの直線と看做して図示されている。
【００４３】
フック保持部５ｂは、ハンガーの揺れ動きに応じて回転するフック２３から力を受けても変形しない程度の剛性を有している。このため、フック２３は、角度「θ」以上には回転できない。フック２３は、角部Ｃ１１及び角部Ｃ３２からの反作用により、水平面α内で中心Ｏを回転軸として左回りに回転する。図示は省略するが、フック２３は左回りに角度「−θ」だけ回転すると、フック２３の左側面の一部は、第１壁面５１の角部Ｃ１２と接触し、フック２３の右側面の一部は、第２壁面５３の角部Ｃ３１と接触する。フック２３は、角部Ｃ１２及び角部Ｃ３１によって角度「−θ」以上には回転できない。
【００４４】
このように、ハンガー吊下げ部５は、物干し補助具１の使用時における水平面α内におけるフック２３の回転を角度「２θ」の範囲内に抑制することができる。第１及び第２壁面５１，５３は、フック２３の回転方向とは反対方向に力を加え、フック２３の回転が所定範囲に収まるように協働して抑制するようになっている。
図７（ａ）では、回転していないフック２３の側面がフック保持部５ｂの第１壁面５１及び第２壁面５３に触れない状態を破線で示しているが、回転していないフック２３の側面の一方が、第１壁面５１又は第２壁面５３に触れた状態であっても、所定の条件を満たせば、ハンガー吊下げ部５はフック２３の回転を抑制可能である。この条件については後述する。
【００４５】
図７（ｂ）に破線で示すように、フック２５は、フック保持空間部５７内の底部５５寄りで底部５５に沿って保持されている。このときに、例えば風などでハンガーが右回りに揺れ動いたとする。このとき、フック２５の底面が第１壁面５１及び第２壁面５３に触れている。物干し補助具１の使用時における水平面α（図２参照）内でハンガーが右回りに回転すると、フック２５も水平面α内で右回りに回転する。フック２５が水平面α内で角度「φ」だけ回転すると、フック２５の左側面の一部は、第１壁面５１の角部Ｃ１１と接触し、フック２５の右側面の一部は、第２壁面５３の角部Ｃ３２と接触する。ここで、角度「φ」は、フック２５の中心Ｏを通りフック２５の長手方向に平行な直線が、水平面α内で中心Ｏを回転軸として回転した角度である。なお、フック２５の長手方向に平行な直線が第１及び第２壁面５１，５３に平行な状態を、角度「φ」＝「０」とする。また、中心Ｏに対して右回りを正方向とし、左回りを負方向とする。図７（ｂ）では理解を容易にするため、角度「φ」は、フック２５の左側面をこの直線と看做して図示されている。
【００４６】
フック保持部５ｂは、ハンガーの揺れ動きに応じて回転するフック２５から力を受けても変形しない程度の剛性を有している。このため、フック２５は、角度「φ」以上には回転できない。フック２５は、角部Ｃ１１及び角部Ｃ３２からの反作用により、水平面α内で中心Ｏを回転軸として左回りに回転する。図示は省略するが、フック２５は左回りに角度「−φ」だけ回転すると、フック２５の左側面の一部は、第１壁面５１の角部Ｃ１２と接触し、フック２５の右側面の一部は、第２壁面５３の角部Ｃ３１と接触する。フック２５は、角部Ｃ１２及び角部Ｃ３１によって角度「−φ」以上には回転できない。
【００４７】
このように、ハンガー吊下げ部５は、水平面α内におけるフック２５の回転を角度「２φ」の範囲内に抑制することができる。第１及び第２壁面５１，５３は、フック２５の回転方向とは反対方向に力を加え、フック２５の回転が所定範囲内に収まるように協働して抑制するようになっている。
図７（ｂ）では、回転していないフック２５の側面がフック保持部５ｂの第１壁面５１及び第２壁面５３に触れない状態を破線で示しているが、回転していないフック２５の側面の一方が、第１壁面５１又は第２壁面５３に触れた状態であっても、所定の条件を満たせば、ハンガー吊下げ部５はフック２５の回転を抑制可能である。この条件については後述する。
【００４８】
図７（ａ）及び図７（ｂ）に示すように、ハンガー吊下げ部５は、フックの幅が太いほど、フックの回転角をより小さい角度に抑制できる。また、図７（ｂ）では、干し物が相対的に強い風力の風によって揺り動かされ、フック２５が頂部５ｄに乗り上げはしないものの、第１及び第２壁面５１，５３の間隔の最大幅の範囲で回転した例を示している。しかしながら、干し物が相対的に弱い風力の風によって揺り動かされると、フック２５が頂部５ｃ，５ｄに乗り上げる寸前まで回転するほどの回転力を受けない。この場合、フック２５は、フック保持部５ｂの底部５５に近い位置で回転が抑制される。第１壁面５１及び第２壁面５３の間隔の幅は底部５５に近づくほど狭くなるため、ハンガー吊下げ部５は、回転角「２φ」よりも小さい角度範囲でフック２５の回転を抑制できる場合がある。
【００４９】
次に、本実施形態による物干し補助具１の他の使用方法について図７を参照しながら、図８及び図９を用いて説明する。図８は、本実施形態による物干し補助具１の別の使用態様を説明する図である。図８は、図１に示す室内用物干し具１０の第１物干し部１５の腕部１５ａの要部を、腕部１５ａに装着した物干し補助具１の正面側から見た状態を示している。図８に示すように、物干し補助具１が装着された腕部１５ａは左上方向に向かって傾斜しており、物干し補助具１のハンガー吊下げ部５に吊下げられたハンガー２１は鉛直方向に吊下げられた状態に維持されている。これにより、物干し補助具１は、物干し部材の下方にハンガーに掛けられた干し物を吊下げることができる。また、ハンガー２１のフック２１ａの側面は、第１壁面５１と接触している。
また、物干し補助具１は、干し物同士が重ならないように所定の間隔を空けて、腕部１５ａに複数装着されている。物干し補助具１は、ハンガー吊下げ部５によりハンガー２１のフック２１ａを保持すると共に、使用時における水平面α内でのフック２１ａの回転を抑制する。ハンガーのフックの回転を抑制する機構については、上述のとおりである。
【００５０】
図９は、本実施形態による物干し補助具１の使用態様を説明する図であって、図８に示す腕部１５ａの一部を拡大した図である。図９は、図８に示す複数の物干し補助具１のうち上から２番目の物干し補助具１の近傍を示している。物干し補助具１は、左上方向へ向かって傾斜している腕部１５ａに装着されているため、ハンガー吊下げ部５もハンガー吊下げ口５ａが腕部１５ａとほぼ平行になる程度に傾斜している。水平面αは、物干し補助具１の使用時における所定の水平面であって、図９ではフック保持部５ｂ（図７参照）の底部５５と第２壁面５３とが交わる辺を含む水平面として図示されている。また、図９では、フック保持部５ｂの第１壁面５１はほぼ鉛直状態にあり、第２壁面５３は水平状態よりもやや上向きに傾斜した状態である。
第２壁面５３は、底部５５と交わる辺において水平面αとも交わっている。ここで、第２壁面５３と水平面αとの成す角度を「ψ」とする。
【００５１】
物干し補助具１は、傾斜した物干し部材に装着された場合であっても、ハンガーのフックが回転した際に、第１及び第２壁面５１，５３の両方からフックの回転方向とは反対方向に働く力をフックに加えることができるという条件を満たせば、フックの回転を抑制できる。
したがって、ハンガーのフックの回転を抑制するための条件を満たすためには、図９に示すように、第２壁面５３が水平面αに対して上方へ向かって所定の角度「ψ」で傾斜していることが必要である。第２壁面５３が水平面αに対して上方へ向かって傾斜していれば、ハンガー吊下げ部５に引っ掛けられたハンガーは、自重及びこのハンガーに掛けられた干し物の重量によって鉛直下方に向かう力により自然と底部５５に近づき、第１壁面５１及び第２壁面５３からフックが鉛直上方に向かって受ける力との均衡の取れた最適な位置で第１壁面５１及び第２壁面５３に接触してフック保持部５ｂにおいて保持される。
【００５２】
第２壁面５３が水平面αに対して上方へ向かって傾斜していることが最低条件ではあるが、所定の角度「ψ」の値は、物干し部材の傾斜角度やハンガーのフックの直径、ハンガーに掛けられた干し物の重さ、また、第１壁面５１、第２壁面５３及びフックの材質の静止摩擦力の大きさ等によって異なる。なお、第１壁面５１は使用時において鉛直状態になくてもよい。
また、図８及び図９では物干し補助具１のフック保持部５ｂ（図７参照）の第１壁面５１はほぼ鉛直状態にあり、第２壁面５３は水平状態よりもやや上向きに傾斜した状態であるが、これとは逆に、フック保持部５ｂの第１壁面５１は水平状態よりもやや上向きに傾斜した状態であり、第２壁面５３がほぼ鉛直状態にあってもよい。この場合、物干し補助具１は、第１壁面５１が水平面αに対して上方へ向かって所定の角度「ψ」で傾斜していれば、フックの回転を抑制できる。
【００５３】
次に、本実施形態による物干し補助具１の使用方法について図１から図９を再び用いて説明する。
物干し補助具１を例えば室内用物干し具１０の腕部１４ａ（図１参照）に取り付ける場合には、使用者は、移動防止部７が孔部１４ｄに概ね対向するように物干し差込口３ａ側を腕部１４ａに向けてから物干し補助具１を下方に押し下げ、物干し差込口３ａを介して腕部１４ａを支持部３の空間部３ｃ内に移動させる。このとき、腕部１４ａは、支持部３を押し広げながら空間部３ｃ内に移動する。次に、使用者は、腕部１４ａの中心軸を回転軸として物干し補助具１を腕部１４ａの外表面上で回転させたり、腕部１４ａの中心軸方向に物干し補助具１を移動させたりして、移動防止部７が孔部１４ｄに嵌合するように物干し補助具１の装着位置を調整する。移動防止部７は半球状の凸部を有している。このため、使用者が物干し補助具１の装着位置を調整している際に、移動防止部７の外表面の頂点が孔部１４ｄ上に配置されると、移動防止部７の外表面が孔部１４ｄの周縁部と接触しながら移動防止部７が孔部１４ｄ内に滑り落ちる。これにより、移動防止部７と孔部１４ｄとは嵌合し、室内用物干し具１０に物干し補助具１が取り付けられる。
【００５４】
孔部１４ｄを容易に嵌合させるために、物干し補助具１の装着位置を使用者に明示する物干し補助具装着位置明示部が、腕部１４ａに設けられていてもよい。物干し補助具装着位置明示部は、線や記号等が物干し部材に印字されている態様でも、凹凸形状であって目視だけでなく手指の接触により物干し補助具の装着位置が確認できるようになっていてもよい。
【００５５】
物干し補助具１がハンガーの回転を抑制できる範囲内に隣りのハンガーが位置しないだけの間隔を設け、図１に示すように、複数の物干し補助具１を同様の手法によって腕部１４ａに取り付ける。これにより、腕部１４ａへの物干し補助具１の取り付けは完了する。物干し補助具１は、取付け対象の腕部１４ａが水平状態であっても、傾斜している状態であってもよい。
なお、物干し補助具１は腕部１４ａを一例とする物干し部材に対して自由に着脱可能であり、支持部３は腕部１４ａから取り外されると弾性変形により元の形状に戻る。
【００５６】
以上説明したように、第１実施形態による物干し補助具１は、フックの回転を抑制可能なハンガー吊下げ部５を有している。このため、物干し補助具１は、干し物が掛けられたハンガーのフックの回転を実使用時における水平面α（図２及び図８参照）において抑制することができる。これにより、隣り合う干し物は風などで揺り動かされても互いに重ならなくなり、互いに隣り合って室内用物干し具１０の腕部１４ａに掛けられた干し物間に効率よく空気が流通するため、干し物の乾燥時間の短縮化を図ることができる。
【００５７】
また、物干し補助具１は、移動防止部７を有している。移動防止部７は、腕部１４ａに設けられた孔部１４ｄと嵌合する。このため、物干し補助具１は、干し物が風などで揺り動かされても物干し部材の外表面上を移動しないので、隣り合う干し物は風などで揺り動かされても互いに重ならない状態を維持できる。これにより、互いに隣り合って物干し部材に掛けられた干し物間に効率よく空気が流通するため、干し物の乾燥時間の短縮化を図ることができる。
【００５８】
（第２実施形態）
次に、本発明の第２実施形態による物干し補助具について図１０から図１３を用いて説明する。図１０は、本実施形態による物干し補助具１０１の使用態様を説明する図である。図１０は、物干し補助具１０１が装着された室内用物干し具１００の要部を示している。室内用物干し具１００は、何れの腕部にも、上記第１実施形態で説明した孔部１４ｄを一例とする物干し補助具移動防止部が設けられていない点を除いて、図１に示す室内用物干し具１０と同一の構成を有している。図１０に示すように、室内用物干し具１００の第１物干し部１４は、室内用物干し具１０の第１物干し部１４と同じく、２本の腕部１４０ａ（図１０では、１本のみ図示）と、２本の腕部１４０ａの間に平行に張り渡された複数の物干し棒１４ｂを有している。
なお、図１から図９に示す上記第１実施形態による室内用物干し具１０及び物干し補助具１と同一の機能・作用を奏する構成要素には、同一の符号を付してその説明は省略する。図１０に示す室内用物干し具１００の第１物干し部１４及び物干し棒１４ｂは、室内用物干し具１０の第１物干し部１４及び物干し棒１４ｂと同一の機能・作用を奏する。また、物干し補助具１０１のハンガー吊下げ部５及びハンガー吊下げ口５ａは、物干し補助具１のハンガー吊下げ部５及びハンガー吊下げ口５ａと同一の機能・作用を奏する。
【００５９】
図１０に示すように、物干し補助具１０１は、例えば支持部１０３の物干し差込口１０３ａから腕部１４０ａを差し込んで室内用物干し具１００に装着されて使用される。物干し補助具１０１は、室内用物干し具１００を組み立てる際に、腕部１４０ａに物干し棒１４ｂを接続する前に腕部１４０ａに取り付けられる。物干し補助具１０１のハンガー吊下げ部５は、第１実施形態による物干し補助具１のハンガー吊下げ部５と同一の機能・作用を奏する。したがって、物干し補助具１０１は、水平状態の腕部１４０ａや、上記第１実施形態で説明したハンガーのフックの回転を抑制する機構の効果を得られる程度に傾斜している腕部１４０ａに適用できる。物干し補助具１０１は、図１０に示す室内用物干し具１００に取り付けて使用される場合には、腕部１４０ａに取り付けられた状態で販売される。物干し補助具１０１は、２本の物干し棒１４ｂの間に取り付けられるため、この２本の物干し棒１４ｂの間で腕部１４０ａ上を移動させることは可能である。しかしながら、この２本の物干し棒１４ｂ間を超えて物干し補助具１０１を移動させることはできない。
また、物干し補助具１０１を取り付ける物干し部材として、図１０では腕部１４０ａを例示しているが、これに限られない。物干し部材は、例えば室内用物干し具１００が備える他の腕部でもよいし、屋外用物干し台等に支持されて屋外で使用される物干し竿等でもよい。物干し補助具１０１は、例えば物干し竿に装着される場合は着脱することも可能ではあるが、通常は、物干し竿に所定間隔で取り付けた状態で維持される。すなわち、物干し補助具１０１を使用しない場合（例えば、布団などを干す場合）であっても物干し補助具１０１を備えている状態で使用される。
【００６０】
次に、物干し補助具１０１の概略構成について図１１、図１２及び図１３を用いて説明する。図１１は、本実施形態による物干し補助具１０１の外観斜視図である。図１１（ａ）は、物干し補助具１０１を正面上方から見た斜視図であり、図１１（ｂ）は、物干し補助具１０１を左側面上方から見た斜視図であり、図１１（ｃ）は、物干し補助具１０１を背面下方から見た斜視図である。図１２は、物干し補助具１０１の正投影図である。図１２中の上段には平面図が示され、中段には、左側面図、正面図、右側面図及び背面図が左からこの順に示され、下段には、底面図が示されている。また図１３は、図１０に示す直線Ｂ−Ｂで、室内用物干し具１００の腕部１４０ａを切断した断面を示す図である。
【００６１】
支持部１０３は、肉厚の薄い円筒形状を有している。支持部１０３の両端部には、物干し差込口１０３ａが設けられている。図１２中の左側面図及び右側面図に示すように、支持部１０３は、左側面及び右側面の両方に物干し差込口１０３ａを有している。物干し差込口１０３ａは円形状を有している。支持部１０３は、物干し差込口１０３ａから差し込まれた物干し部材が通過する空間部１０３ｃを有している。支持部１０３は、両端部に物干し差込口１０３ａを有しているので、一方の物干し差込口１０３ａから差し込まれた物干し部材の端部を空間部１０３ｃを介して他方の物干し差込口１０３ａから外部に取り出すことができるようになっている。すなわち、物干し補助具１０１は、支持部１０３に物干し部材を貫通させることができる。空間部１０３ｃは内壁１０３ｂに囲まれた空間であり、物干し差込口１０３ａで開放されている。支持部１０３の内壁１０３ｂの表面は、物干し部材の外表面に倣う形状に形成されている。本実施形態による物干し補助具１０１は、図１０に示すように、装着対象が腕部１４０ａである。このため、内壁１０３ｂの表面は、円柱形状の腕部１４０ａの外表面に倣う曲面形状（本例では円筒の内表面形状）に形成されている。
【００６２】
支持部１０３は、物干し部材を空間部１０３ｃ内を通過させることによって、ハンガー吊下げ部５を物干し部材に支持するようになっている。物干し差込口１０３ａの中心から外周囲までの長さと、支持部１０３の中心軸から内壁１０３ｂまでの長さは、物干し補助具１０１の装着対象の腕部１４０ａなどの半径よりも若干長く形成されている。これにより、支持部１０３は、物干し部材に空間部１０３ｃを通過させることができる。
【００６３】
支持部１０３は、物干し部材に対してハンガー吊下げ部５が移動するのを防止する移動防止部１０７を有している。移動防止部１０７は、支持部１０３の一部に形成された基板部１０７ａと、基板部１０７ａ上に形成され空間部１０３ｃに向かって突出する凸部１０７ｂとを有している。図１２中の底面図に示すように、支持部１０３に、内壁１０３ｂの裏面である支持部１０３の外表面から空間部１０３ｃに向かって支持部１０３を貫通するＵ字状の孔部１０３ｄを形成することにより、孔部１０３ｄの内側領域に位置する支持部１０３が基板部１０７ａとなる。基板部１０７ａは、孔部１０３ｄによって外周囲のうちの三方が囲まれている。また、凸部１０７ｂは、基板部１０７ａの空間部１０３ｃ側、すなわち内壁１０３ｂから空間部１０３ｃに向かって突出して設けられている。移動防止部１０７は、上面視において、支持部１０３の空間部１０３ｃを挟んでハンガー吊下げ部５の底部５５と重なる位置に設けられている。
また、図１２中の左側面図及び右側面図に示すように、凸部１０７ｂは、内壁１０３ｂの壁面に対して空間部１０３ｃに向かって突出している。支持部１０３の中心軸から内壁１０３ｂまでの長さと、支持部１０３の中心軸から凸部１０７ｂまでの長さとの間の半径を有する物干し部材（例えば腕部１４０ａ）が空間部１０３ｃに挿入されるとする。凸部１０７ｂは空間部１０３ｃに向かって突出しているため、凸部１０７ｂが物干し部材によって支持部１０３の中心軸に対して径方向に力を受ける。そうすると、移動防止部１０７は、基板部１０７ａの外周囲のうちの孔部１０３ｄで囲まれていない辺を中心軸として外側に向かって回転する力を受ける。このとき、基板部１０７ａは支持部１０３の下方へ向かって突出する。ところが、物干し補助具１０１は、例えば樹脂で形成されているため、弾性変形により元の状態に戻ろうとする。これにより、図１３に示すように、基板部１０７ａ及び凸部１０７ｂは、物干し部材の外表面を押さえ付ける。物干し部材は、凸部１０７ｂと凸部１０７ｂに対向する内壁１０３ｂとによって挟まれている。これにより、物干し補助具１０１は、吊下げている干し物が風などによって揺り動かされても物干し部材上で移動するのが防止される。したがって、複数の物干し補助具１０１は、吊下げている干し物が揺り動かされたとしても、物干し部材に装着された当初の間隔を維持できる。
【００６４】
次に、本実施形態による物干し補助具１０１の使用方法について図１０から図１３を再び用いて説明する。
物干し補助具１０１は、例えば腕部１４０ａ（図１０参照）に取り付けた状態で販売されている。このため、使用者は、室内用物干し具１００の設置とともに、物干し補助具１０１の設置を完了できる。物干し補助具１０１が取り付けられた腕部１４０ａは水平状態にあっても、傾斜している状態にあってもよい。
【００６５】
物干し補助具１０１は、物干し竿等に取り付けた状態で販売されていてもよい。支持部１０３の肉厚は薄めに形成されているので、物干し補助具１０１は、支持部１０３の外表面と、物干し竿の外表面との段差が大きくなるのを防止できる。このため、使用者は、物干し補助具１０１が取り付けられた物干し竿を、物干し補助具１０１のハンガー吊下げ部５が鉛直下方に向くように物干し台等に設置することで、支持部１０３の外表面と物干し竿の外表面との段差を気にすることなく、物干し補助具１０１を取り付けたまま、物干し竿に布団やタオルなどを直接掛けることができる。
【００６６】
また、組み立て式の室内用物干し具の物干し部材（例えば、室内用物干し具１００の腕部１４０ａに対応する、組み立て式の室内用物干し具の腕部）に物干し補助具１０１を取り付けて使用する場合には、使用者は、組み立て式の室内用物干し具の物干し部材をその端部から物干し差込口１０３ａに差し込むとともに、支持部１０３の空間部１０３ｃに貫通させる。これにより、物干し補助具１０１は、物干し部材に設置される。その後、腕部１４０ａに対応する物干し部材の中心軸を回転軸として物干し補助具１０１を物干し部材の外表面上で回転させ、組み立て式の室内用物干し具を組み立てた際にハンガー吊下げ部５が鉛直上方に位置するように物干し補助具１０１の装着位置を調整する。物干し補助具１０１がハンガーの回転を抑制できる範囲内に隣りのハンガーが位置しないだけの間隔を設け、図１０に示すように、複数の物干し補助具１０１を同様の手法によって腕部１４０ａに対応する組み立て式の物干し部材に取り付ける。その後、物干し補助具１０１を取り付けた物干し部材と残余の構成物品とを組み立てて、組み立て式の室内用物干し具の組み立ては完了する。物干し補助具１０１が取り付けられた物干し部材は、水平状態であっても、物干し部材に取り付けた物干し補助具１０１のハンガー吊下げ部５がハンガーのフックの回転を抑制できる程度に傾斜している状態であってもよい。
また、物干し補助具１０１は、手動によって物干し部材の外表面上を移動させることができる。このため、使用者は好みに応じて、物干し補助具１０１を物干し部材の任意の位置に移動させることができる。ただし、図１０に示す室内用物干し具１００では、物干し補助具１０１の腕部１４０ａ上の移動は、物干し棒１４ｂによって規制される。
【００６７】
以上説明したように、本実施形態による物干し補助具１０１は、フックの回転を抑制可能なハンガー吊下げ部５を有している。このため、物干し補助具１０１は、干し物が掛けられたハンガーのフックの回転を実使用時における水平面（図２及び図７から図９で示す水平面α）内において抑制することができる。また、本実施形態による物干し補助具１０１の支持部１０３は、物干し部材に対してハンガー吊下げ部５が移動するのを防止する移動防止部１０７を有している。これにより、隣り合う干し物は風などで揺り動かされても互いに重ならなくなり、互いに隣り合って物干し部材に掛けられた干し物間に効率よく空気が流通するため、干し物の乾燥時間の短縮化を図ることができる。
【００６８】
（第３実施形態）
次に、本発明の第３実施形態による物干し部材について図１４を用いて説明する。本実施形態による物干し部材１４１は、例えば屋外用物干し台等に支持されて屋外で使用される物干し竿である。本実施形態による物干し部材１４１は、上記第１及び第２実施形態による物干し補助具１，１０１のハンガー吊下げ部５を外表面に備えている点に特徴を有している。図１４は、本実施形態による物干し部材１４１の使用態様を説明する図である。図１４には、物干し部材１４１の外表面に設けられた４つのハンガー吊下げ部２０５と、４つのハンガー吊下げ部２０５のうち図１４中の一番右側に設けられたハンガー吊下げ部２０５に、ハンガー２７が吊下げられている状態とが示されている。図１４に示すように、物干し部材１４１の外表面には、ハンガーのフックを引っ掛けてハンガーを吊下げる複数（本例では４つ）のハンガー吊下げ部２０５が設けられている。ハンガー吊下げ部２０５は、複数の干し物同士が重ならない程度の間隔を空けて設けられている。また、ハンガー吊下げ部２０５は、物干し部材１４１の外表面から鉛直上方へ突出するように設けられている。物干し部材１４１はほぼ水平状態にあるため、ハンガー吊下げ部２０５に吊下げられたハンガー２７は鉛直状態にある。また、例えば、ハンガー吊下げ部２０５は物干し部材１４１の外表面と一体的に形成されていてもよい。
【００６９】
ハンガー吊下げ部２０５は、上記第１及び第２実施形態による物干し補助具１，１０１のハンガー吊下げ部５と同一の機能・作用を奏する。ハンガー吊下げ部２０５は、フック保持部２５０を有している。フック保持部２５０は、第１壁面２５１、第２壁面２５３、底部２５５及びフック保持空間部２５７を有している。第１壁面２５１、第２壁面２５３、底部２５５及びフック保持空間部２５７は、物干し補助具１，１０１のハンガー吊下げ部５のフック保持部５ｂにおける第１壁面５１、第２壁面５３、底部５５及びフック保持空間部５７と同一の構成を有し、同一の機能を発揮するようになっている。
【００７０】
図７を用いて説明したとおり、ハンガー吊下げ部５に引っ掛けられたハンガーのフックの回転を抑制するのは、主にフック保持部５ｂの第１壁面５１及び第２壁面５３である。そのため、フック保持部５ｂの第１壁面５１及び第２壁面５３と同一の機能を発揮する第１壁面２５１及び第２壁面２５３を備えたフック保持部２５０を有するハンガー吊下げ部２０５は、実使用時に水平面α内でのハンガー２７のフック２７ａの回転を、抑制することができる。したがって、物干し部材１４１は、実使用時において水平面α内でのフックの回転を抑制することができる。
【００７１】
本実施形態による物干し部材１４１のハンガー吊下げ部２０５は、物干し部材１４１の外表面上に、干し物同士が重ならない程度の間隔を空けて設けられている。したがって、ハンガー吊下げ部２０５は、吊下げている干し物が風などによって揺り動かされても物干し部材上で移動することはなく、干し物同士の間隔を維持できる。物干し部材１４１の一例である物干し竿にハンガー吊下げ部２０５が設けられている場合、ハンガー吊下げ部２０５を使用しないとき（例えば、布団を干すとき）には、使用者はハンガー吊下げ部２０５が鉛直下方に向くように物干し竿を物干し台等に設置すれば、通常の物干し竿としても使用できる。
また、物干し部材１４１は、物干し竿ではなく、図１及び図１０に示す室内用物干し具１０，１００の腕部１４ａ，１４０ａと同様に、室内用物干し具の腕部として用いられてもよい。
【００７２】
（変形例）
次に、本実施形態の変形例による物干し部材について図１５を用いて説明する。本変形例による物干し部材は、例えば屋外用物干し台等に支持されて屋外で使用される物干し竿である。本変形例による物干し部材１４２は、図１４に示す物干し部材と同じく、上記第１及び第２実施形態による物干し補助具１，１０１のハンガー吊下げ部５を外表面に備えている点に特徴を有している。図１５は、本変形例による物干し部材１４２の使用態様を説明する図である。図１５には、物干し部材１４２の外表面に設けられた４つのハンガー吊下げ部３０５と、４つのハンガー吊下げ部３０５のうち図１５中の一番右側に設けられたハンガー吊下げ部３０５に、ハンガー２９が吊下げられている状態とが示されている。図１５に示すように、物干し部材１４２の外表面には、ハンガーのフックを引っ掛けてハンガーを吊下げる複数（本例では４つ）のハンガー吊下げ部３０５が設けられている。ハンガー吊下げ部３０５は、複数の干し物同士が重ならない程度の間隔を空けて設けられている。また、ハンガー吊下げ部３０５は、物干し部材１４２の外表面から物干し部材１４２の内側に向かって凹形状を形成する第１壁面３５１と第２壁面３５３とを有している。第１壁面３５１と第２壁面３５３との間には底部３５５が設けられている。物干し部材１４２はほぼ水平状態にあるため、ハンガー吊下げ部３０５に吊下げられたハンガー２９は鉛直状態にある。また、例えば、ハンガー吊下げ部３０５は物干し部材１４２の外表面と一体的に形成されていてもよい。
【００７３】
ハンガー吊下げ部３０５は、上記第１及び第２実施形態による物干し補助具１，１０１のハンガー吊下げ部５と同一の機能・作用を奏する。ハンガー吊下げ部３０５は、フック保持部３５０を有している。フック保持部３５０は、第１壁面３５１、第２壁面３５３、底部３５５及びフック保持空間部３５７を有している。第１壁面３５１、第２壁面３５３、底部３５５及びフック保持空間部３５７は、物干し補助具１，１０１のハンガー吊下げ部５のフック保持部５ｂにおける第１壁面５１、第２壁面５３、底部５５及びフック保持空間部５７と同一の構成を有し、同一の機能を発揮するようになっている。
【００７４】
図７を用いて説明したとおり、ハンガー吊下げ部５に引っ掛けられたハンガーのフックの回転を抑制するのは、主にフック保持部５ｂの第１壁面５１及び第２壁面５３である。そのため、フック保持部５ｂの第１壁面５１及び第２壁面５３と同一の機能を発揮する第１壁面３５１及び第２壁面３５３を備えたフック保持部３５０を有するハンガー吊下げ部３０５は、実使用時に水平面α内でのハンガー２９のフック２９ａの回転を、抑制することができる。したがって、ハンガーのフックを引っ掛けてハンガーを吊下げるハンガー吊下げ部３０５を備える物干し部材１４２は、実使用時において水平面α内でのフックの回転を抑制することができる。
【００７５】
変形例による物干し部材１４２は、物干し部材１４２の外表面から内側に向かってＶ字状の凹形状に形成されたハンガー吊下げ部３０５を有している。また、ハンガー吊下げ部３０５は、干し物同士が重ならない程度の間隔を空けて設けられている。したがって、ハンガー吊下げ部３０５は、吊下げている干し物が風などによって揺り動かされても物干し部材上で移動することはなく、干し物同士の間隔を維持できる。また、ハンガー吊下げ部３０５は、物干し部材１４２の外表面と一体的に形成されていてもよい。ハンガー吊下げ部３０５は凹形状を有し、物干し部材１４２の外表面から突出していない。そのため、使用者は、ハンガー吊下げ部３０５を意識することなく、ハンガー吊下げ部３０５を有する物干し竿に布団やタオルなどを直接掛けることができる。
また、物干し部材１４２は、物干し竿ではなく、図１及び図１０に示す室内用物干し具１０，１００の腕部１４ａ，１４０ａと同様に、室内用物干し具の腕部として用いられてもよい。
【００７６】
本発明は、上記第３実施形態の変形例に限らず、さらに種々の変形が可能である。
上記第１及び第２実施形態による物干し補助具１，１０１のフック保持部５ｂは、傾斜した第１及び第２壁面５１，５３を有しているが、本発明はこれに限られない。また、上記第３実施形態及び変形例による物干し部材１４１，１４２のフック保持部２５０，３５０は、傾斜した第１壁面２５１，３５１及び傾斜した第２壁面２５３，３５３を有しているが、本発明はこれに限られない。例えば、第１及び第２壁面５１，５３は、ある一定の幅のフックを有するハンガーを吊下げるために、底部５５を挟んで平行に対向していてもよい。また、第１壁面２５１，３５１及び第２壁面２５３，３５３も同様に、ある一定の幅のフックを有するハンガーを吊下げるために、底部２５５，３５５を挟んで平行に対向していてもよい。このとき、ハンガーのフックの回転を抑制するために、第１及び第２壁面５１，５３並びに第１壁面２５１，３５１及び第２壁面２５３，３５３の間隔は、ハンガーのフックの直径よりもやや広い程度であることが望ましい。
【００７７】
上記第１及び第２実施形態による物干し補助具１，１０１のハンガー吊下げ部５の外形形状は図１から図１３で示す形状に限られない。第１及び第２実施形態による物干し補助具１，１０１は、フックの側面が接触する部分の形状がフック保持部の内壁と同様の形状を有していれば、フック保持部の外形形状は他の形状であってもよい。図７を用いて説明したとおり、フックの回転は、主にフック保持部５ｂの第１及び第２壁面５１，５３によって抑制されるので、外表面はフックの回転の抑制にはほぼ寄与していない。このため、物干し補助具は、ハンガー吊下げ部の外表面にキャラクターなどの意匠が施されていてもよい。これにより、物干し補助具は、使用してない時に物干し部材に取り付けられたままの状態であっても、使用者に邪魔な印象を与えるのを防止できる。上記第３実施形態による物干し部材１４１のハンガー吊下げ部２０５の外表面にも同様に、意匠が施されていてもよい。
【００７８】
また、上記第１及び第２実施形態による物干し補助具１，１０１のハンガー吊下げ部５が有するフック保持部５ｂの第１壁面５１及び第２壁面５３はそれぞれ１つの平面を有しているが、本発明はこれに限られない。例えば、フック保持部５ｂの第１壁面５１及び第２壁面５３は、複数に分割されていてもよい。上記第３実施形態による物干し部材１４１のフック保持部２５０の第１壁面２５１及び第２壁面２５３も同様に複数に分割されていてもよい。
また、上記第１及び第２実施形態による物干し補助具１，１０１のハンガー吊下げ部５が有するフック保持部５ｂは、第１及び第２壁面５１，５３に形成された開口部を有していてもよい。上記第３実施形態及び変形例による物干し部材１４１，１４２のフック保持部２５０，３５０も同様に、第１壁面２５１，３５１及び第２壁面２５３，３５３に開口部を有していてもよい。このとき、フック保持部５ｂ及びフック保持部２５０，３５０には、底部５５及び底部２５５，３５５が形成されていなくてもよい。
フック保持部の形状がこれらの形状を有していても、物干し補助具及びハンガー吊下げ部を備えた物干し部材は、干し物が掛けられたハンガーのフックの回転を実使用時における水平面α内において抑制することができるので、干し物間に効率よく空気が流通するため、干し物の乾燥時間の短縮化を図ることができる。
【符号の説明】
【００７９】
１，１０１  物干し補助具
３，１０３  支持部
３ａ，１０３ａ  物干し差込口
３ｂ，１０３ｂ  内壁
３ｃ，１０３ｃ  空間部
１０３ｄ  孔部
５，２０５  ハンガー吊下げ部
５ａ  ハンガー吊下げ口
５ｂ，２５０  フック保持部
５１，２５１  第１壁面
５３，２５３  第２壁面
５５，２５５  底部
５７，２５７  フック保持空間部
５ｃ，５ｄ  頂部
７，１０７  移動防止部
１０７ａ  基板部
１０７ｂ  凸部
１０，１００  室内用物干し具
１４  第１物干し部
１４ａ，１４０ａ  腕部
２３，２５  フック
１４１  物干し部材
【図１】
2016047121.tif 000003
【図２】
2016047121.tif 000004
【図３】
2016047121.tif 000005
【図４】
2016047121.tif 000006
【図５】
2016047121.tif 000007
【図６】
2016047121.tif 000008
【図７】
2016047121.tif 000009
【図８】
2016047121.tif 000010
【図９】
2016047121.tif 000011
【図１０】
2016047121.tif 000012
【図１１】
2016047121.tif 000013
【図１２】
2016047121.tif 000014
【図１３】
2016047121.tif 000015
【図１４】
2016047121.tif 000016
【図１５】
2016047121.tif 000017